(57)【特許請求の範囲】
【請求項１】
眼鏡レンズに固設された第一の部材と、
テンプルまたはブリッジに連結された第二の部材と  
を備え、前記第一の部材は、長円状をなす外周部と、この外周部の少なくとも一つの円弧部を含む部分に形成された取付溝とを有し、この取付溝は、前方から見たとき、垂直方向に配置されており、
前記第二の部材は、前記第一の部材の一方向から導入され、前記取付溝に弾性的に係合する略Ｕ字状の屈曲部を有することを特徴とする眼鏡の連結構造。
【請求項２】
眼鏡レンズに固設された第一の部材と、
テンプルまたはブリッジに連結された第二の部材と
を備え、前記第一の部材は、長円状をなす外周部と、この外周部の少なくとも一つの円弧部を含む部分に形成された取付溝とを有し、
前記第二の部材は、前記第一の部材の一方向から導入され、前記取付溝に弾性的に係合する略Ｕ字状の屈曲部を有し、
前記第一の部材の取付溝は、前記外周部の全周に亘り形成され、前記略Ｕ字状の屈曲部の一端部が他の円弧部に回り込むように形成されていることを特徴とする眼鏡の連結構造。
【請求項３】
眼鏡レンズに固設された第一の部材と、
テンプルまたはブリッジに連結された第二の部材と
を備え、前記第一の部材は、孔部と、この孔部と連なるようにその外周部の少なくとも一部に形成され、当該孔部と平行な部分を有する取付溝とを有し、
前記第二の部材は、前記第一の部材の孔部に一方向から導入され、前記取付溝に弾性的に係合する略Ｕ字状の屈曲部を有することを特徴とする眼鏡の連結構造。
【請求項４】
前記第一の部材は、樹脂で形成されていることを特徴とする請求項１から請求項３の何れかに記載の眼鏡の連結構造。
【請求項５】
前記第一の部材は、眼鏡レンズに接着により固設されていることを特徴とする請求項１から請求項４の何れかに記載の眼鏡の連結構造。
【請求項６】
前記第一の部材は、眼鏡レンズに穿設されたレンズ孔に脚部が挿入されて固設されていることを特徴とする請求項１から請求項５の何れかに記載の眼鏡の連結構造。
【請求項７】
前記樹脂は、透明であることを特徴とする請求項４ないし６のいずれかに記載の眼鏡の連結構造。
【請求項８】
前記第二の部材は、丁番を介してテンプルに連結されたヨロイであることを特徴とする請求項１から請求項７の何れかに記載の眼鏡の連結構造。
【請求項９】
前記前記第二の部材は、一本の線材から形成されたブリッジであることを特徴とする請求項１から請求項８の何れかに記載の眼鏡の連結構造。
【発明の詳細な説明】
【０００１】
【発明の属する技術分野】
本発明は、眼鏡の連結構造に関し、特にレンズ外周部を保持するリムのないリムレス眼鏡の連結構造に関する。
【０００２】
【従来の技術】
従来、かかるリムレス眼鏡としては、例えば、米国特許第５８３５１８３号明細書や登録実用新案第３００７８４６号公報に記載のものが知られている。
【０００３】
米国特許第５８３５１８３号明細書に記載のリムレス眼鏡は、テンプルにヒンジ部を介して連結されているヨロイおよびブリッジを備え、このヨロイおよびブリッジの端末部に形成されたＵ字状の弾性挟持片の第１片部をレンズに設けた孔に差し込み、第２片部をレンズの縁に設けられた溝に係合させることにより、U字状の弾性挟持片でもって上記レンズに設けた孔とレンズの縁に設けられた溝との間を挟み付けて、レンズとヨロイおよびブリッジとを連結している。
【０００４】
また、登録実用新案第３００７８４６号公報に記載の眼鏡は、レンズ内側縁に線接触可能な平行線状の縁当て部とレンズ内側縁近傍に穿孔されたブリッジ止着孔に貫刺可能な内貫刺部とを有する金属製ブリッジ、およびレンズ外側縁に線接触可能な平行線状の縁当て部とレンズ外側縁近傍に穿孔されたヨロイ止着孔に貫刺可能な外貫刺部とを有する金属製ヨロイを用いて、左右一対のレンズを連結保持するようにしている。
【０００５】
【発明が解決しようとする課題】
しかしながら、かかる従来のリムレス眼鏡においては、いずれにしても、ブリッジおよびヨロイ等の眼鏡部品とレンズとの連結が、眼鏡部品の端末部に形成された第１片部や内外貫刺部をレンズに穿孔された孔に差し込むと共に、第２片部や縁当て部をレンズの縁に当接させることにより、行われているので、例えば、眼鏡のテンプル間の距離（開き）を変えるような大きな外力が作用すると、眼鏡部品が変形したり、最悪の場合には、レンズの孔部分に応力が集中し、レンズに割れを生じてしまうという問題があった。
【０００６】
また、かかる眼鏡部品は軽量かつ小部品であり、必要な強度を維持するためには、特殊な金属で製作されるのが普通である。従って、レンズにかかる金属が直接に接触し、無用な外力をレンズに及ぼさないようにするためには、特別な工夫が必要であり、これらを調整するための厄介な調整作業を必要としている。
【０００７】
本発明の目的は、かかる従来の問題を解決し、眼鏡に過剰な外力が作用した場合でも、その部品変形やレンズの割れを防止することができ、しかも、調整作業を必要としないか、必要な場合にも簡単にできる眼鏡の連結構造を提供することにある。
【０００８】
【課題を解決するための手段】
上記目的を達成する本発明の第１の形態に係る眼鏡の連結構造は、眼鏡レンズに固設された第一の部材と、テンプルまたはブリッジに連結された第二の部材とを備え、前記第一の部材は、長円状をなす外周部と、この外周部の少なくとも一つの円弧部を含む部分に形成された取付溝とを有し、この取付溝は、前方から見たとき、垂直方向に配置されており、前記第二の部材は、前記第一の部材の一方向から導入され、前記取付溝に弾性的に係合する略Ｕ字状の屈曲部を有することを特徴とする。
【０００９】
上記構成によれば、テンプルの開き等により眼鏡に過剰な外力が加えられると、第一の部材の外周部の少なくとも一部に形成された取付溝に略Ｕ字状の屈曲部が弾性的に係合していた第二の部材が、弾性的に変形し、第一の部材から外れる。従って、第一および第二の部材の変形やレンズの割れが防止される。また、外周部が長円状であって、取付溝が外周部の少なくとも一の円弧部を含む部分に形成されているので、第一の部材と第二の部材との接触面積を充分に取ることができ、第一の部材と第二の部材とを確実に連結することができる。さらに、前方から見たとき、取付溝が垂直方向に配置されているので、前方から見たときすっきりとし、ファッション性が向上する。
【００１０】
本発明の第２の形態に係る眼鏡の連結構造は、眼鏡レンズに固設された第一の部材と、テンプルまたはブリッジに連結された第二の部材とを備え、前記第一の部材は、長円状をなす外周部と、この外周部の少なくとも一つの円弧部を含む部分に形成された取付溝とを有し、前記第二の部材は、前記第一の部材の一方向から導入され、前記取付溝に弾性的に係合する略Ｕ字状の屈曲部を有し、前記第一の部材の取付溝は、前記外周部の全周に亘り形成され、前記略Ｕ字状の屈曲部の一端部が他の円弧部に回り込むように形成されていることを特徴とする。
上記構成によれば、第一の部材に対する第二の部材の取付が確実となり、第一の部材と第二の部材とをより確実に連結することができる。
【００１１】
本発明の第３の形態に係る眼鏡の連結構造は、眼鏡レンズに固設された第一の部材と、テンプルまたはブリッジに連結された第二の部材とを備え、前記第一の部材は、孔部と、この孔部と連なるようにその外周部の少なくとも一部に形成され、当該孔部と平行な部分を有する取付溝とを有し、前記第二の部材は、前記第一の部材の孔部に一方向から導入され、前記取付溝に弾性的に係合する略Ｕ字状の屈曲部を有することを特徴とする。
上記構成によれば、第一の部材と第二の部材との接触面積を充分に取り確実に連結することができると共に、デザイン上の優位性を得ることができる。
【００１２】
なお、前記第一の部材は、樹脂で形成されていることが好ましい。この構成によれば、眼鏡に要求されるデザインの自由度が増大すると共に、レンズと異なる色に着色することも容易であり、ファッション性が向上する。
【００１３】
また、前記第一の部材は、眼鏡レンズに接着により固設されていてもよい。このようにすると、レンズへの穿孔作業や調整作業が不要となり、眼鏡の作製が簡単となる。
【００１４】
さらに、前記第一の部材は、眼鏡レンズに穿設されたレンズ孔に脚部が挿入されて固設されてもよい。
【００１５】
さらに、前記樹脂は、透明であってもよい。このようにすると、視野が制限されず明るくなり、また、見た目にもレンズ部への異物感が薄れすっきりとしたデザインの眼鏡が得られる。
【００１８】
なお、前記第二の部材は、丁番を介してテンプルに連結されたヨロイであるか、一本の線材から形成されたブリッジであってもよい。
【００１９】
【発明の実施の形態】
以下、本発明の実施の形態を添付図面を参照しつつ説明する。なお、本明細書の記述において、「前後」、「左右」および「上下」等の方向を表す表現は、眼鏡が通常の状態で人に装着されているときの方向を表している。
【００２０】
図１ないし３において、本発明の一実施の形態に係るリムレス眼鏡１００は、左右のレンズ１１０と、レンズ１１０に固設された、第一の部材としてのヨロイ側樹脂パーツ１２０およびブリッジ側樹脂パーツ１３０と、テンプル１７０にヒンジ１６０を介して連結された第二の部材としてのヨロイ１４０および同じく第二の部材としてのブリッジ１５０とを備えている。
【００２１】
第一の部材としてのヨロイ側樹脂パーツ１２０は、図４に詳細に示すように、レンズ１１０の外側面にほぼ平行な面内に延在し、一部がレンズ１１０の側面に当接して位置されるほぼ長円形状の基部１２２と、該基部１２２から延出し、レンズ１１０の前面に位置される腕部１２４と、該腕部１２４から後方に、基部１２２とほぼ平行に突出する脚部１２６とを有し、基部１２２の外周部には取付溝１２８が形成されている。該取付溝１２８が形成された長円形状の基部１２２は、図４から明らかなように、二つの円弧部１２２ｆおよび１２２ｒを含んでおり、本実施の形態では、該二つの円弧部がレンズ１１０の光軸にほぼ平行する前後方向に配置されている。
【００２２】
そして、取付溝１２８は、該外周部の少なくとも前側の円弧部１２２ｆを含む部分に形成されていればよいが、後述する第二の部材の取付を確実にするために、図４に示すように、前側および後側の二つの円弧部１２２ｆおよび１２２ｒを含む長円状外周部の全周に亘り形成されている。その結果、取付溝１２８のその底部は、側方から見たとき、前側の円弧部１２８ｆおよび後側の円弧部１２８ｒとこれらの間の平行部１２８ｐとを有する形状となる。
【００２３】
同じく、第一の部材としてのブリッジ側樹脂パーツ１３０は、図５に詳細に示すように、レンズ１１０の内側面にほぼ平行な面内に延在し、一部がレンズ１１０の側面に当接して位置されるほぼ長円形状の基部１３２と、該基部１３２から延出しレンズ１１０の前面に位置される腕部１３４と、該腕部１３４から後方に、基部１３２とほぼ平行に突出する脚部１３６とを有し、基部１３２の外周部には取付溝１３８が形成されている。該取付溝１３８が形成された長円形状の基部１３２は、図５から明らかなように、二つの円弧部１３２ｔおよび１３２ｂを含んでおり、本実施の形態では、該二つの円弧部がレンズ１１０の光軸にほぼ直交する上下方向に配置されている。
【００２４】
そして、取付溝１３８は、該外周部の少なくとも上側の円弧部１３２ｔを含む部分に形成されていればよいが、後述する第二の部材としてのブリッジ１５０との取付を確実にするために、図６に示すように、二つの円弧部１３２ｔおよび１３２ｂを含む長円状外周部の全周に亘り形成されている。その結果、取付溝１３８のその底部は、側方から見たとき、上側の円弧部１３８ｔおよび下側の円弧部１３８ｂとこれらの間の平行部１３８ｐとを有する形状となる。
【００２５】
なお、本実施の形態では、レンズ１１０には、図１および２から明らかなように、その内外側縁部近傍にレンズ孔１１２がそれぞれ穿設されている。
【００２６】
ヨロイ１４０は、本実施の形態では一本の金属線材（例えば、ニッケル・クロム合金、ニッケル・チタン合金等の弾性材）から形成され、その一端部には後述するヒンジ１６０が設けられている。そして、該ヒンジ１６０を介してテンプル１７０が連結されている。なお、このヒンジ１６０を設けることなく、テンプル１７０を一体的に形成してもよい。
【００２７】
ここで、ヨロイ１４０には、ヒンジ１６０と逆側の端部に、ヨロイ側樹脂パーツ１２０に一方向から導入され、その取付溝１２８に弾性的に係合する略U字状の屈曲部１４２が形成されている。略U字状の屈曲部１４２は、詳しくは、ヒンジ１６０に連なる第１脚部１４３と第２脚部１４４とに連続し、第１脚部１４３と第２脚部１４４とが取付溝１２８の平行部１２８ｐを挟む形態で弾性的に係合する。さらに、第２脚部１４４の先端部には、図６に示すように、取付溝１２８の後側の円弧部１２８ｒに沿って係合すべく、第１脚部１４３側に僅かに凸状に湾曲された湾曲部１４５が設けられている。
【００２８】
次に、ブリッジ１５０は、同じく、金属線材（例えば、チタン合金、ニッケル・クロム合金、ニッケル・チタン合金等の弾性材）から第１のU字状屈曲部１５２とこれに連なる第２のU字状屈曲部１５５とを備えて形成され、本実施の形態では、該第１のU字状屈曲部１５２の第１脚部１５３同士が連結部１５１で連結されている。なお、図７に詳細に示すように、第１のU字状屈曲部１５２の第２脚部１５４は第２のU字状屈曲部１５５の第１脚部１５６と直線的に連続し、第１のU字状屈曲部１５２の第１脚部１５３と第２脚部１５４との両脚部がブリッジ側樹脂パーツ１３０の取付溝１３８に係合し、第２のU字状屈曲部１５５の第２脚部１５７の先端には鼻当てパッド１５８が取り付けられている。
【００２９】
ここで、第１のU字状屈曲部１５２は眼鏡の下方向に凸で、その第１脚部１５３と第２脚部１５４とは互いに平行であり、一方、第１のU字状屈曲部１５２の第２脚部１５４と直線的に連続する第１脚部１５６を有する第２のU字状屈曲部１５５は眼鏡の上方向に凸で、その第１脚部１５６と第２脚部１５７とも互いにほぼ平行である。但し、第１のU字状屈曲部１５２の第１脚部１５３とその第２脚部１５４（および第２のU字状屈曲部１５５の第１脚部１５６）と第２のU字状屈曲部１５５の第２脚部１５７とは、図１から明らかなように、眼鏡の前方から見てほぼ重なるよう形成されている。
【００３０】
なお、１５８は鼻当てパッドであり、本実施の形態では、ブリッジ１５０を構成している第２のU字状屈曲部１５５の第２脚部１５７の先端部に取付けられているが、他のパッドアームに設けられてもよい。
【００３１】
さらに、ヒンジ１６０とテンプル１７０につき、図８を主に参照して説明する。本一実施の形態においては、ヒンジ１６０が略鼓状のソケット部材１６２とテンプル１７０の端部に形成されたＪ字状曲折部１７２との組合せにより構成されている。より詳しくは、ソケット部材１６２には中心に貫通孔１６４、上部に鍔部１６６が形成されると共に、鍔部１６６の直ぐ下方には、所定の曲率半径の円弧状窪み１６７とこれに滑らかに連続する直線状の斜面１６８とからなる凹部１６９が形成されている。そして、このソケット部材１６２は、本実施の形態においては、上述したヨロイ１４０の第１脚部１４３が円弧状窪み１６７に接合される形態で、ヨロイ１４０と一体に形成されている。
【００３２】
金属線材（例えば、チタン合金、ニッケル・クロム合金、ニッケル・チタン合金等の弾性材）からなるテンプル１７０の端部に形成されたＪ字状曲折部１７２は、ソケット部材１６２の貫通孔１６４に挿通される第１脚部１７４と第２脚部１７６とを備え、第１脚部１７４が貫通孔１６４に挿通されたとき、第１脚部１７４と第２脚部１７６とでソケット部材１６２を弾性的に挟持するようにされている。さらに、該第２脚部１７６は、テンプル１７０の端部の直線状部に対し鋭角に曲折され、その折り曲げの外周部１７８は、上述のソケット部材１６２における円弧状窪み１６７の曲率半径と等しい曲率半径を有するように形成されている。
【００３３】
上記本発明の一実施の形態にあっては、次の手順によりリムレス眼鏡１００が組立られ完成されることになる。まず、レンズ１１０の内外側縁部近傍のレンズ孔１１２にヨロイ側樹脂パーツ１２０の脚部１２６およびブリッジ側樹脂パーツ１３０の脚部１３６を挿入することにより、ヨロイ側樹脂パーツ１２０およびブリッジ側樹脂パーツ１３０を、それぞれ、レンズ１１０に固着する。そして、ブリッジ側樹脂パーツ１３０に対し、ブリッジ１５０を取付けることにより、左右のレンズ１１０を連結する。この取付けは、ブリッジ１５０の第１のU字状屈曲部１５２を下向きにして、その第１脚部１５３とその第２脚部１５４（および第２のU字状屈曲部１５５の第１脚部１５６）とをブリッジ側樹脂パーツ１３０の取付溝１３８に下方向から導入することにより行われる。導入完了時には、第１のU字状屈曲部１５２が取付溝１３８の下側の円弧部１３８ｂに係合し、その第１脚部１５３とその第２脚部１５４とが取付溝１３８の平行部１３８ｐを挟持し、左右のレンズ１１０を確実に連結することになる。
【００３４】
かかる状態において、次に、ヨロイ側樹脂パーツ１２０に対し、ヨロイ１４０を取付ける。この取付けも、ブリッジ１５０の場合と同様に、ヨロイ１４０のU字状屈曲部１４２を前向きにして、その第１脚部１４３とその第２脚部１４４とをヨロイ側樹脂パーツ１２０の取付溝１２８に前方向から導入することにより行われる。導入完了時には、第１のU字状屈曲部１４２が取付溝１２８の前側の円弧部１２８ｆに係合し、その第１脚部１４３とその第２脚部１４４とが取付溝１２８の平行部１２８ｐを弾性的に挟持し、さらに、第２脚部１４４の湾曲部１４５が取付溝１２８の後側の円弧部１２８ｒに回り込んで係合する。この結果、ヨロイ１４０はヨロイ側樹脂パーツ１２０にガタツキ等が防止されて、確実に連結される。
【００３５】
そして、最後に、ヨロイ１４０に一体に形成されている略鼓状のソケット部材１６２にテンプル１７０を連結する。詳しくは、ソケット部材１６２の貫通孔１６４にテンプル１７０の端部に形成されたＪ字状曲折部１７２の第１脚部１７４を挿通すると共に、第２脚部１７６を凹部１６９に係合させ、第１脚部１７４と第２脚部１７６とでソケット部材１６２を弾性的に挟持させる。かくて、リムレス眼鏡１００は、ねじ等を一切用いることなく、各部品が連結されることにより完成されることになる。
【００３６】
上述のような連結構造を用いて構成されているリムレス眼鏡１００において、テンプル１７０等を介して、眼鏡に過剰な外力が作用した場合には、第一の部材としてのヨロイ側樹脂パーツ１２０またはブリッジ側樹脂パーツ１３０と、第二の部材としてのヨロイ１４０またはブリッジ１５０とは、ヨロイ側樹脂パーツ１２０の取付溝１２８およびブリッジ側樹脂パーツ１３０の取付溝１３８にそれぞれ弾性的に係合している略U字状の屈曲部１４２および１５２のいずれか、または両者が弾性的に変形し外れることになる。その結果、そのヨロイ１４０、ブリッジ１５０およびテンプル１７０等の部品の変形やレンズ１１０の割れが防止される。
【００３７】
次に、図９および図１０を参照して本発明の他の実施の形態につき説明する。なお、以下の説明において、他の実施の形態の参照番号は百の位に２を用い、百の位に１を用いた一実施の形態と区別するが、特に断わりのない限り、下二桁の番号が同じものは一実施の形態のものと同一または同一機能部位を意味するものとする。従って、一実施の形態に関し行った説明を、以下に述べる相違点を除き、参照番号の百の位を２に置き換えることにより他の実施の形態の説明とする。
【００３８】
他の実施の形態が上述の一実施の形態と異なる点は、ヨロイ側樹脂パーツとヨロイの形態が変更されている点である。すなわち、他の実施の形態では、ヨロイ側樹脂パーツ２２０の基部２２２に底付孔２２９が形成されると共に、外周部の一部に取付溝２２８が底付孔２２９に連なって形成されている。該取付溝２２８が形成された基部２２２は、図９から明らかなように、後端が閉鎖された矩形状であり、取付溝２２８は、底付孔２２９と外周部の少なくとも前側と横側との角部を含む部分に形成されている。その結果、取付溝２２８のその底部は、上方から見たとき、前側の円弧部２２８ｆおよび底付孔２２９の側壁２２９ｐとこれに平行な平行部２２８ｐとを有する形状となる。
【００３９】
ここで、ヨロイ２４０には、ヒンジ１６０と逆側の端部に、ヨロイ側樹脂パーツ２２０の底付孔２２９に一方向から導入され、その取付溝２２８に弾性的に係合する略U字状の屈曲部２４２が形成されている。略U字状の屈曲部２４２は、詳しくは、底付孔２２９に挿入される第１脚部２４３とヒンジ１６０に連なる第２脚部２４４とに連続し、第１脚部２４３と第２脚部２４４とが底付孔２２９の側壁２２９ｐと取付溝２２８の平行部２２８ｐを挟む形態で弾性的に係合する。さらに、第２脚部２４４の途中には、図１０に示すように、導入時に取付溝２２８を通過した後に基部２２２の後端側に回り込むべく、第１脚部２４３側に僅かに凸状に湾曲された湾曲部２４５が設けられている。
【００４０】
この他の実施形態においても、ヨロイ側樹脂パーツ２２０がレンズ１１０に固着された後、ヨロイ２４０のU字状屈曲部２４２を前向きにして、その第１脚部２４３を底付孔２２９に挿入に挿入しつつその第２脚部２４４をヨロイ側樹脂パーツ２２０の取付溝２２８に前方向から導入することにより、連結が行われる。
【００４１】
次に、本発明のさらなる他の実施の形態について説明する。まず、第一に、第一の部材としてのヨロイ側樹脂パーツ１２０（２２０）およびブリッジ側樹脂パーツ１３０が、それぞれ、脚部１２６（２２６）および脚部１３６を有し、レンズ１１０においてもこれに対応するレンズ孔１１２が穿孔された実施の形態につき説明したが、さらなる他の実施の形態として、かかるヨロイ側樹脂パーツ１２０（２２０）およびブリッジ側樹脂パーツ１３０のいずれか、または両者の脚部１２６（２２６）および脚部１３６を省略すると共に、その省略に対応させて、レンズ１１０に穿孔されるレンズ孔１１２を省略することができる。
【００４２】
このように、脚部が省略されたヨロイ側樹脂パーツ１２０（２２０）およびブリッジ側樹脂パーツ１３０は、レンズ１１０の表面に直接にその腕部１２４（２２４）および１３４が接着剤等によって固着される。このようにすると、レンズへの穿孔作業も不要となり、また位置合せの調整作業も不要となって、作業工数を著しく低減することができる。
【００４３】
さらに、ヨロイ側樹脂パーツ１２０（２２０）およびブリッジ側樹脂パーツ１３０は、特別の色に着色されていてもよく、このようにすると、ファッション性が向上する。また、前記樹脂パーツは、透明であってもよい。特に、脚部が省略されたヨロイ側樹脂パーツ１２０（２２０）およびブリッジ側樹脂パーツ１３０の場合には、視野が制限されず明るくなり、また、見た目にもレンズ部への異物感が薄れすっきりとしたデザインの眼鏡が得られる。
【００４４】
なお、ヨロイ側樹脂パーツ１２０およびブリッジ側樹脂パーツ１３０の取付溝１２８および１３８は、前方から見たとき、垂直方向または水平方向に配置されていることが好ましい。前方から見たときすっきりとし、ファッション性が向上するからである。
【００４５】
ヨロイ側樹脂パーツ１２０（２２０）およびブリッジ側樹脂パーツ１３０の取付溝１２８（２２８）および取付溝１３８へのヨロイ１４０およびブリッジ１５０の導入方向、換言すると、差し込み方向は、上述の実施の形態では、ヨロイ１４０については前方向から、ブリッジ１５０については下方向からそれぞれ差し込む例を示したが、これは、所定の一方向である限り、いずれの方向であってもよい。
【００４６】
以上、本発明の好ましい実施の形態につき説明したが、本発明は上記実施の形態に限定されるものではない。すなわち、一および他の実施の形態にそれぞれ示された特徴を相互に入れ換えて採用することも可能である。例えば、ヨロイ１４０およびブリッジ１５０の差し込み方向は相互に入れ換えてもよい。また、ヒンジ１６０のソケット部材がテンプル１７０に取付けられ、略Ｊ字状曲折部がヨロイに形成されてもよい。
【図面の簡単な説明】
【図１】本発明の一実施の形態に係るリムレス眼鏡を示す正面図である。
【図２】本発明の一実施の形態に係るリムレス眼鏡を示す平面図である。
【図３】本発明の一実施の形態に係るリムレス眼鏡を示す側面図である。
【図４】本発明の一実施の形態に係るリムレス眼鏡の第一の部材としてのヨロイ側樹脂パーツを示す、（Ａ）正面図、（Ｂ）平面図および（Ｃ）側面図である。
【図５】本発明の一実施の形態に係るリムレス眼鏡の第一の部材としてのブリッジ側樹脂パーツを示す、（Ａ）正面図、（Ｂ）平面図および（Ｃ）側面図である。
【図６】本発明の一実施の形態に係るリムレス眼鏡の第二の部材としてのヨロイの一例を示す、（Ａ）斜視図および（Ｂ）ヨロイ側樹脂パーツとヨロイとの連結状態を示す側面図である。
【図７】本発明の一実施の形態に係るリムレス眼鏡の第二の部材としてのブリッジの一例を示す斜視図である。
【図８】本発明の一実施の形態に係るリムレス眼鏡のヒンジのソケット部材を示す、（Ａ）側面図および（Ｂ）平面図、および（Ｃ）ヒンジ構造を示す側面図である。
【図９】本発明の他の実施の形態に係るリムレス眼鏡の第一の部材としてのヨロイ側樹脂パーツを示す、（Ａ）正面図、（Ｂ）平面図および（Ｃ）側面図である。
【図１０】本発明の他の実施の形態に係るリムレス眼鏡の第二の部材としてのヨロイの一例を示す、（Ａ）斜視図および（Ｂ）ヨロイ側樹脂パーツとヨロイとの連結状態を示す側面図である。
【符号の説明】
１００    リムレス眼鏡
１１０    レンズ
１１２    レンズ孔
１２０、２２０    ヨロイ側樹脂パーツ（第一の部材）
１２２、２２２    基部
１２４、２２４    腕部
１２６、２２６    脚部
１２８、２２８    取付溝
１３０    ブリッジ側樹脂パーツ（第一の部材）
１３２    基部
１３４    腕部
１３６    脚部
１３８    取付溝
１４０、２４０    ヨロイ（第二の部材）
１４２、２４２    略U字状の屈曲部
１５０    ブリッジ（第二の部材）
１５２    略U字状の屈曲部
１６０    ヒンジ
１７０    テンプル
【図１】
0003682035.tif 000002
【図２】
0003682035.tif 000003
【図３】
0003682035.tif 000004
【図４】
0003682035.tif 000005
【図５】
0003682035.tif 000006
【図６】
0003682035.tif 000007
【図７】
0003682035.tif 000008
【図８】
0003682035.tif 000009
【図９】
0003682035.tif 000010
【図１０】
0003682035.tif 000011